(57)【要約】【課題】工事による同一回線の切断回数を低減することができる回線借用システムを提供する。【解決手段】通信回線の工事を識別可能な工事識別情報と、この工事を実施する日時情報とを関係付けて記憶する工事情報記憶部と、工事識別情報と、工事すべき通信回線を識別する回線識別情報とを関係付けて記憶する借用回線情報記憶部と、工事情報記憶部と、借用回線情報記憶部とを参照し、工事識別情報をキーとして、工事識別情報と、回線識別情報と、日時情報とを関係付けて、回線識別情報が同一で、日時情報が異なる工事の抽出を行う同一回線工事抽出部とを備える回線借用システムである。【選択図】図１
2017184001.tif 000002
【特許請求の範囲】
【請求項１】
通信回線の工事を識別可能な工事識別情報と、該工事を実施する日時情報とを関係付けて記憶する工事情報記憶部と、
前記工事識別情報と、工事すべき前記通信回線を識別する回線識別情報とを関係付けて記憶する借用回線情報記憶部と、
前記工事情報記憶部と、前記借用回線情報記憶部とを参照し、前記工事識別情報をキーとして、前記回線識別情報が同一で、前記日時情報が異なる工事の抽出を行う同一回線工事抽出部と
を備える回線借用システム。
【請求項２】
前記回線識別情報が同一で、前記日時情報が異なる工事を実施する日時情報を一致させるように、前記工事情報記憶部に記憶されている日時情報を変更する工事日一致処理部
をさらに備える請求項１に記載の回線借用システム。
【請求項３】
前記回線識別情報が同一で、前記日時情報が異なる工事を実施する日時情報を一致させる場合に、前記工事によって前記通信回線が切断になることを前記通信回線を使用するユーザに通知する借用依頼に対してユーザの許可を得ている工事の前記日時情報に一致させる請求項２に記載の回線借用システム。
【請求項４】
通信回線の工事を識別可能な工事識別情報と、該工事を実施する日時情報とを関係付けて記憶する工事情報記憶部と、前記工事識別情報と、工事すべき前記通信回線を識別する回線識別情報とを関係付けて記憶する借用回線情報記憶部とを備える回線借用システムが行う回線借用処理方法であって、
前記工事情報記憶部と、前記借用回線情報記憶部とを参照し、前記工事識別情報をキーとして、前記工事識別情報と、前記回線識別情報と、前記日時情報とを関係付けて、前記回線識別情報が同一で、前記日時情報が異なる工事の抽出を行う同一回線工事抽出ステップ
を有する回線借用処理方法。
【請求項５】
コンピュータを、請求項１から３のいずれか一項に記載の回線借用システムとして機能させるための回線借用処理プログラム。
【発明の詳細な説明】
【技術分野】
【０００１】
本発明は、通信回線が電柱の移設等の工事により切断される場合に、ユーザから停止許可を得るために借用依頼を行う回線借用システム、回線借用処理方法及び回線借用処理プログラムに関する。
【背景技術】
【０００２】
通信回線（以下「回線」という。）が工事で切断される場合、回線を利用しているユーザに対して回線提供事業者から切断となることを連絡（これを借用依頼と言う）し、許可をもらっている。図８は、借用依頼の流れを示す説明図である。通信回線提供事業者は、工事が発生すると、（１）工事計画を行い、（２）工事により切断される回線を抽出する。そして、（３）借用依頼を発行し、（４）ユーザに許可をもらい、（５）工事を実施する。１つの工事でもケーブルに収容される回線が複数あるため、切断される回線は複数ある場合がある。通信回線提供事業者は切断される回線をすべて調査しユーザに連絡している。
【０００３】
先行技術として、効率の良いデータベースを構築し借用回線の検索を自動化することにより、人為的ミスを防止して、迅速かつ漏れのない検索を可能にする回線検索システムが知られている（例えば、特許文献１参照）。
【先行技術文献】
【特許文献】
【０００４】
【特許文献１】特開２００６−３５２６７５号公報
【発明の概要】
【発明が解決しようとする課題】
【０００５】
ところで、工事は各場所で行われるが、ある場所の工事と別の場所の工事とに同じユーザの回線（以下「同一回線」という。）が含まれているケースが発生する（図９参照）。図９は別々の工事に同一回線が含まれている例を示す図である。図９に示すように、工事１と工事２とにユーザＡの回線番号１が含まれている。しかしながら、従来技術では、電柱１の移動工事と、電柱２の移動工事とに同一回線が含まれているかを知る仕組みがなかった。
【０００６】
そのため、１月１日に実施される工事１（切断される回線番号１、２）と、１月２日に実施される工事２（切断される回線番号１）とを、作業員が設定した日程で工事を行っていたため同一回線の切断が複数回（この例では２回）発生してしまうという問題がある。
【０００７】
本発明は、このような事情に鑑みてなされたもので、工事による同一回線の切断回数を低減することができる回線借用システム、回線借用処理方法及び回線借用処理プログラムを提供することを目的とする。
【課題を解決するための手段】
【０００８】
本発明の一態様は、通信回線の工事を識別可能な工事識別情報と、該工事を実施する日時情報とを関係付けて記憶する工事情報記憶部と、前記工事識別情報と、工事すべき前記通信回線を識別する回線識別情報とを関係付けて記憶する借用回線情報記憶部と、前記工事情報記憶部と、前記借用回線情報記憶部とを参照し、前記工事識別情報をキーとして、前記回線識別情報が同一で、前記日時情報が異なる工事の抽出を行う同一回線工事抽出部とを備える回線借用システムである。
【０００９】
本発明の一態様は、前記回線借用システムであって、前記回線識別情報が同一で、前記日時情報が異なる工事を実施する日時情報を一致させるように、前記工事情報記憶部に記憶されている日時情報を変更する工事日一致処理部をさらに備える。
【００１０】
本発明の一態様は、前記回線借用システムであって、前記回線識別情報が同一で、前記日時情報が異なる工事を実施する日時情報を一致させる場合に、前記工事によって前記通信回線が切断になることを前記通信回線を使用するユーザに通知する借用依頼に対してユーザの許可を得ている工事の前記日時情報に一致させる。
【００１１】
本発明の一態様は、通信回線の工事を識別可能な工事識別情報と、該工事を実施する日時情報とを関係付けて記憶する工事情報記憶部と、前記工事識別情報と、工事すべき前記通信回線を識別する回線識別情報とを関係付けて記憶する借用回線情報記憶部とを備える回線借用システムが行う回線借用処理方法であって、前記工事情報記憶部と、前記借用回線情報記憶部とを参照し、前記工事識別情報をキーとして、前記工事識別情報と、前記回線識別情報と、前記日時情報とを関係付けて、前記回線識別情報が同一で、前記日時情報が異なる工事の抽出を行う同一回線工事抽出ステップを有する回線借用処理方法である。
【００１２】
本発明の一態様は、コンピュータを、前記回線借用システムとして機能させるための回線借用処理プログラムである。
【発明の効果】
【００１３】
本発明によれば、工事による同一回線の切断回数を低減することができるという効果が得られる。
【図面の簡単な説明】
【００１４】
【図１】本発明の一実施形態による回線借用システムの構成を示すブロック図である。
【図２】同一回線有無抽出の例を示す説明図である。
【図３】同一回線有無抽出結果に同一回線がある場合の同一回線工事日設定の例を示す説明図である。
【図４】同一回線有無抽出結果に複数の同一回線がある場合の同一回線工事日設定の第１の例を示す説明図である。
【図５】同一回線有無抽出結果に複数の同一回線がある場合の同一回線工事日設定の第２の例を示す説明図である。
【図６】同一回線有無抽出結果に複数の同一回線がある場合の同一回線工事日設定の第３の例を示す説明図である。
【図７】回線借用の全体の動作を示すフローチャートである。
【図８】借用依頼の流れを示す説明図である。
【図９】別々の工事に同一回線が含まれている例を示す図である。
【発明を実施するための形態】
【００１５】
以下、図面を参照して、本発明の一実施形態による回線借用システムを説明する。図１は同実施形態の構成を示すブロック図である。本実施形態による回線借用システムは、専用線（ＳＴＭ（Synchronous Transfer Mode）系、ＡＴＭ（Asynchronous Transfer Mode）系、イーサネット（登録商標）系）等の通信回線が電柱の移設等の工事により切断される場合に、ユーザから停止許可を得るために借用依頼を行う。このとき、回線借用システムは登録した各工事情報の中から同一回線の有無を抽出し、同一回線がある場合は同一回線が含まれる工事の工事日程をすべて同じ工事日程に変更する。
【００１６】
回線借用システムは、サーバ１と、Ｎ（Ｎは自然数）台の端末２−１〜２−Ｎと、サーバ１と端末２−１〜２−Ｎを接続するＤＣＮ（データセンターネットワークソリューション）とを備える。
【００１７】
サーバ１は、記憶部１１と機能部１２とを備える。記憶部１１は、工事情報管理テーブル記憶部１１１、回線構成情報管理テーブル記憶部１１２、ユーザ情報管理テーブル記憶部１１３、借用回線管理テーブル記憶部１１４を備える。機能部１２は、入力部１２１、表示部１２２、通信部１２３、工事情報登録部１２４、切断回線抽出部１２５、同一回線有無抽出部１２６、同一回線工事日設定部１２７、借用部１２８を備える。
【００１８】
端末２−１は、機能部２１内に、通信部２１１、入力部２１２、表示部２１３を備える。他の端末２−Ｎの構成についても端末２−１の構成と同様である。
【００１９】
次に、記憶部１１に記憶される各記憶部について説明する。工事情報管理テーブル記憶部１１１は、工事する際にその都度登録される情報が記憶される。工事情報管理テーブル記憶部１１１は、工事情報登録部１２４で登録した工事情報を管理するテーブルを記憶する。主な情報として、「工事管理番号」、「工事名」、「工事内容」、「工事日時」、「工事ケーブル名・工事装置名」、「工事完了日時」がある。「工事管理番号」は一意な番号で他のテーブルと関連付ける外部キーとして用い、「工事ケーブル名または工事装置名」についても外部キーとして用いる。
【００２０】
回線構成情報管理テーブル記憶部１１２は、予め登録されている情報が記憶されている。回線構成情報管理テーブル記憶部１１２は、全回線の構成情報を管理するテーブルを記憶する。主な情報として「回線番号」、「使用ケーブル名・使用装置名」がある。「回線番号」は外部キーであり、「使用ケーブル名・使用装置名」は一意な値で外部キーとして用いる。
【００２１】
ユーザ情報管理テーブル記憶部１１３は、予め登録されている情報が記憶されている。ユーザ情報管理テーブル記憶部１１３は、全ユーザの情報と利用している回線番号を管理するテーブルを記憶する。主な情報として、「ユーザ名」、「ユーザ連絡先」、「回線番号」がある。「回線番号」は一意な値で外部キーとして用いる。
【００２２】
借用回線管理テーブル記憶部１１４は、処理が進むにつれて更新されていく情報が記憶される。借用回線管理テーブル記憶部１１４は、工事により切断となる回線番号を管理するテーブルを記憶する。工事情報管理テーブル記憶部１１１に登録された工事から、切断回線抽出部１２５で抽出した結果を登録する。主な情報として「工事管理番号」、「回線番号」、「借用依頼日時」、「ユーザ許可結果」がある。「工事管理番号」、「回線番号」は外部キーとして用いる。
【００２３】
次に、機能部１２内に備えられる各構成について説明する。入力部１２１は、工事情報、ユーザ許可結果等の各種情報を入力する。表示部１２２は、各種情報を表示する。通信部１２３は、サーバ１と端末２−１〜Ｎとの間で情報を送受信する。
【００２４】
次に、図１に示す工事情報登録部１２４について説明する。工事情報登録部１２４は、端末２−１から入力された、または入力部１２１で入力された工事情報を工事情報管理テーブル記憶部１１１に登録する。
【００２５】
次に、図１に示す切断回線抽出部１２５について説明する。切断回線抽出部１２５は、新規に登録された工事により切断される回線を抽出する。工事情報登録部１２４で新規に登録した工事情報管理テーブル記憶部１１１の「工事ケーブル名・工事装置名」と回線構成情報管理テーブル記憶部１１２の「使用ケーブル名・使用装置名」とをキーにして結合する。そして、結合結果のうち「工事管理番号」、「回線番号」を借用回線管理テーブル記憶部１１４に登録する。
【００２６】
次に、図１に示す同一回線有無抽出部１２６について説明する。同一回線有無抽出部１２６は、切断回線抽出部１２５で抽出した回線と登録済み工事で未完了のものに同一回線があるかを判定する。この判定の結果、同一回線があればその回線を抽出する。借用回線管理テーブル記憶部１１４と工事情報管理テーブル記憶部１１１とを、「工事完了日時」が未登録の「工事管理番号」をキーにして結合する。そして、「工事管理番号」が異なり「回線番号」が同一のレコードを抽出する。
【００２７】
この動作を図２を参照して説明する。図２は、同一回線有無抽出の例を示す説明図である。まず、同一回線有無抽出部１２６は、「工事管理番号」をキーにして工事情報管理テーブル記憶部１１１に記憶されているテーブルと、借用回線管理テーブル記憶部１１４に記憶されているテーブルとを結合する。具体的には、同一回線有無抽出部１２６は、破線で囲った工事情報管理テーブルの工事管理番号３００と借用回線管理テーブルの工事管理番号３０１とを結合する。このとき同一回線有無抽出部１２６が結合するのは、「工事完了日」が未登録のレコードのみである。
【００２８】
次に、同一回線有無抽出部１２６は、２つのテーブルの結合結果から「工事管理番号」が異なり、「回線番号」が同一のレコードを借用回線管理テーブル記憶部１１４から抽出する。具体的には、同一回線有無抽出部１２６は、点線で囲った「工事管理番号・回線番号」のレコード３０２〜３０５を抽出する。
【００２９】
この処理の結果、図２の下図に示す同一回線有無抽出結果が得られる。すなわち、「工事管理番号」が異なり、「回線番号」が同一のレコードが抽出される。
【００３０】
次に、図１に示す同一回線工事日設定部１２７について説明する。同一回線工事日設定部１２７は、新規に登録した工事の「工事日時」を同一回線有無抽出部１２６で抽出した同一回線の工事の「工事日時」と同じ日時に設定する。同一回線工事日設定部１２７は、抽出結果に同一回線番号が１つしかない場合、工事情報管理テーブル記憶部１１１に新規登録したレコードの「工事日時」を登録済みレコードの「工事日時」と同じ日時に変更する。
【００３１】
この動作を図３を参照して説明する。図３は、同一回線有無抽出結果に同一回線がある場合の同一回線工事日設定の例を示す説明図である。まず、同一回線工事日設定部１２７は、同一回線有無抽出結果から、新規登録の「工事管理番号」と「工事管理番号」とが異なり、「回線番号」が同一のレコードを選択する（図３における符号３０６で示すレコードを選択する）。
【００３２】
次に、同一回線工事日設定部１２７は、工事情報管理テーブル記憶部１１１の「工事日時」を、新規登録したレコードの「工事日時」を先に選択したレコードの「工事日時」と同じ日時に変更する（図３に示す符号３０７で示す「工事日時」を変更する）。この結果、「工事管理番号」が「４（新規登録）」の「工事日時」が「２０１６／２／１０  ０：００」（図３に示す符号３０８で示す「工事日時」）に変更される。
【００３３】
同一回線有無抽出部１２６の抽出結果に複数の同一回線がある場合、「ユーザ許可結果」に取得済みの登録があるレコードを選択し、工事情報管理テーブル記憶部１１１のテーブルに新規登録したレコードの「工事日時」を選択したレコードの「工事日時」と同じ日時に変更する。
【００３４】
この動作を図４を参照して説明する。図４は、同一回線有無抽出結果に複数の同一回線がある場合の同一回線工事日設定の第１の例を示す説明図である。まず、同一回線工事日設定部１２７は、同一回線有無抽出結果から新規登録（「工事管理番号」が４）と「工事管理番号」とが異なり「回線番号」が同一のレコードを抽出する（図４における符号３０９で示すレコードを抽出する）。続いて、同一回線工事日設定部１２７は、符号３０９で示す抽出結果から「ユーザ許可結果」が取得済みのレコードを選択する（図４における符号３１０のレコードを選択する）。
【００３５】
次に、同一回線工事日設定部１２７は、工事情報管理テーブル記憶部１１１に新規登録したレコードの「工事日時」を処理２で選択した「ユーザ許可結果」が取得済みのレコードの「工事日時」と同じ日時に変更する。すなわち、図４に示す符号３１１で示すレコードの「工事日時」を変更する。
【００３６】
次に、同一回線工事日設定部１２７は、「ユーザ許可結果」が取得済みのレコードを選択する処理で選択されなかったレコードと同じ「工事管理番号」のレコードの「工事日時」を先に選択したレコードの「工事日時」と同じ日時に変更し、「借用依頼日時」を空白に変更する（図４における符号３１２のレコードを変更する）。この処理によって、図４下図に示す工事情報管理テーブルが工事情報管理テーブル記憶部１１１に記憶される。
【００３７】
次に、前述の処理時に取得済みの登録があるレコードが複数存在する場合について説明する。同一回線工事日設定部１２７は、取得済みの登録があるレコードのいずれか１つを選択する。そして、同一回線工事日設定部１２７は、工事情報管理テーブル記憶部１１１に新規登録した工事の「工事日時」と工事情報管理テーブル記憶部１１１に登録済みで選択されなかったレコードの「工事管理番号」とが一致するレコードの「工事日時」を選択したレコードの「工事日時」と同じ日時に変更する。
【００３８】
同一回線工事日設定部１２７は、さらに借用回線管理テーブル記憶部１１４に登録済みで選択されなかったレコードの「工事管理番号」及び「回線番号」と一致するレコードの 「借用依頼日時」と「ユーザ許可結果」を空白にする。
【００３９】
この動作を図５を参照して説明する。図５は、同一回線有無抽出結果に複数の同一回線がある場合の同一回線工事日設定の第２の例を示す説明図である。まず、同一回線工事日設定部１２７は、同一回線有無抽出結果から新規登録の「工事管理番号」と「工事管理番号」とが異なり「回線番号」が同一のレコードを抽出する（図５における符号３１３で示すレコードを抽出する）。
【００４０】
次に、同一回線工事日設定部１２７は、新規登録の「工事管理番号」と「工事管理番号」とが異なり「回線番号」が同一のレコードの抽出結果のうち「ユーザ許可結果」に取得済みのレコードが複数ある場合、いずれかのレコードを選択する。この例では「工事管理番号」が３であるレコードが選択される（図５における符号３１４で示すレコードが選択される）。
【００４１】
次に、同一回線工事日設定部１２７は、新規登録したレコードの「工事日時」を先に選択したレコードの「工事日時」と同じ日時に変更する（図５における符号３１５で示すレコードの「工事日時」を変更する）。そして、同一回線工事日設定部１２７は、選択されなかったレコードと同じ「工事管理番号」のレコードの「工事日時」を選択したレコードの「工事日時」と同じ日時に変更する。
【００４２】
そして、同一回線工事日設定部１２７は、「借用依頼日時」と「ユーザ許可結果」を空白に変更する（図５における符号３１６で示すレコードを空白にする）。この処理によって、図５下図に示す工事情報管理テーブルが工事情報管理テーブル記憶部１１１に記憶される。
【００４３】
次に、同一回線有無抽出部１２６の抽出結果に取得済みが存在しない場合について説明する。同一回線工事日設定部１２７は、レコードのいずれか１つを選択する。そして、同一回線工事日設定部１２７は、工事情報管理テーブル記憶部１１１に新規登録した工事の「工事日時」と工事情報管理テーブル記憶部１１１に登録済みで選択されなかったレコードの「工事管理番号」と一致するレコードの「工事日時」を選択したレコードの「工事日時」と同じ日時に変更する。
【００４４】
さらに、同一回線工事日設定部１２７は、借用回線管理テーブル記憶部１１４に登録済みで選択されなかったレコードの「工事管理番号」及び「回線番号」と一致するレコードの 「借用依頼日時」を空白にする。
【００４５】
この動作を図６を参照して説明する。図６は、同一回線有無抽出結果に複数の同一回線がある場合の同一回線工事日設定の第３の例を示す説明図である。まず、同一回線工事日設定部１２７は、新規登録の「工事管理番号」と「工事管理番号」とが異なり「回線番号」が同一のレコードを抽出する（図６における符号３１７で示すレコードを抽出する）。
【００４６】
続いて、同一回線工事日設定部１２７は、新規登録の「工事管理番号」と「工事管理番号」とが異なり「回線番号」が同一のレコードの抽出結果のうち「ユーザ許可結果」に取得済みのレコードがない場合、いずれかのレコードを選択する。この例では「工事管理番号」が３のレコードが選択される（図６における符号３１８で示すレコードが選択される）。
【００４７】
次に、同一回線工事日設定部１２７は、新規登録したレコードの「工事日時」を先に選択したレコードの「工事日時」と同じ日時に変更する（図６における符号３１９で示すレコードが変更される）。そして、同一回線工事日設定部１２７は、選択されなかったレコードと同じ「工事管理番号」のレコードの「工事日時」を選択したレコードの「工事日時」と同じ値に変更し、「借用依頼日時」を空白に変更する（図６における符号３２０で示すレコードを空白にする）。
【００４８】
次に、図１に示す借用部１２８について説明する。借用部１２８は、借用依頼とユーザ許可結果の登録とを行う。借用部１２８は、ユーザ情報管理テーブル記憶部１１３と借用回線管理テーブル記憶部１１４とを回線番号をキーにして結合した結果と、工事情報管理テーブル記憶部１１１とを「工事管理番号」をキーにして結合し、「借用依頼日時」が未登録のレコードをユーザに借用依頼として送信する。
【００４９】
送信は「ユーザ連絡先」に登録された情報をもとに回線借用システムからメールやＦＡＸ等の手段で行う。送信後、作業員は「ユーザ依頼日」に送付日時を登録する。そして、ユーザからの許可取得後、入力部１２１により取得済みであることが入力されたら、借用回線管理テーブル記憶部１１４の「ユーザ可結果」に入力内容を登録する。
【００５０】
次に、図７を参照して、回線借用の全体の動作を説明する。図７は、回線借用の全体の動作を示すフローチャートである。まず、工事会社の作業員は、端末２−１から工事情報を入力する（ステップＳ１）。入力された工事情報は、ＤＣＮ３を介してサーバ１へ送信される。これを受けて、機能部１２は、切断となる回線を抽出する（ステップＳ２）。切断となる回線を抽出する処理は前述した通りである。
【００５１】
次に、機能部１２は、各工事により切断となる回線の中に同一回線番号があるかを抽出する。詳細な処理は、前述した通りである（ステップＳ３）。そして、機能部１２は、各工事により切断となる回線の中に同一回線番号があるか否かを判定する（ステップＳ４）。
【００５２】
次に、機能部１２は、各工事により切断となる回線の中に同一回線番号がある場合、新規登録工事の工事日を登録済の工事の工事日と同じ日時に変更する（ステップＳ５）。各工事により切断となる回線の中に同一回線番号がない場合、機能部１２は、ステップＳ５をスキップする。
【００５３】
次に、機能部１２は、ユーザに対して、借用依頼を送信する（ステップＳ６）。そして、工事会社の作業員は、ユーザからの許可取得後、許可取得済みであることを端末２−１から入力する（ステップＳ７）。最後に、工事会社の作業員は、工事完了後、工事完了日時を端末２−１から入力する（ステップＳ８）。
【００５４】
なお、前述した説明では、同一回線の工事が異なる日程で計画されている場合、新規登録工事の工事日を登録済の工事の工事日と同じ日時に変更するように説明したが、登録済工事の工事日を新規登録の工事の工事日と同じ日時に変更するようにしてもよい。
【００５５】
また、前述した説明では、サーバ・クライアント方式を用いたシステム構成を説明したが、サーバ１を１台のコンピュータで実現したスタンドアローン方式の装置構成であってもよい。
【００５６】
以上説明したように、前述の課題を解決するため、本発明の回線借用システムでは記憶部及び機能部を備え、登録した各工事情報の中から同一回線の有無を抽出し、同一回線がある場合は同一回線が含まれる工事の工事日時をすべて同じ工事日時に変更する。
【００５７】
この構成によれば、別の工事に同一回線が含まれる場合、別々の日に切断されることを防ぐことができるようになり、同一回線の切断回数を低減することができる。
【００５８】
なお、前述した説明においては、記憶部１１に４つの記憶部を設ける例を説明したが、４つの記憶部のデータを１つにまとめた記憶部としてもよい。また、５つ以上の記憶部を備えていてもよい。
【００５９】
また、機能部１２内の工事情報登録部１２４、切断回線抽出部１２５、同一回線有無抽出部１２６、同一回線工事日設定部１２７、借用部１２８は、端末２−１〜Ｎに設けられていてもよい。この場合、サーバ１には、記憶部１１のみを設け、端末２−１〜Ｎがサーバ１に対してアクセスする構成であってもよい。また、回線構成情報管理テーブル記憶部１１２とユーザ情報管理テーブル記憶部１１３は、他のシステムのものを流用しているものである。このため、別のシステムとサーバ１が接続され、別のシステム上に存在する回線構成情報管理テーブル記憶部１１２とユーザ情報管理テーブル記憶部１１３に対してデータを読み書きする構成であってもよい。この構成によれば、サーバ１の構成を簡単にすることができる。
【００６０】
また、前述した説明では、回線単位で処理する例を説明したが、回線を収容するケーブル単位で処理を行うようにしてもよい。この場合、ケーブルに収容されている回線のユーザに借用依頼を送信するようにすればよい。
【００６１】
前述した実施形態における回線借用システムの全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００６２】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００６３】
工事による同一回線の切断回数を低減することが不可欠な用途に適用できる。
【符号の説明】
【００６４】
１・・・サーバ、１１・・・記憶部、１２・・・機能部、１１１・・・工事情報管理テーブル記憶部、１１２・・・回線構成情報管理テーブル記憶部、１１３・・・ユーザ情報管理テーブル記憶部、１１４・・・借用回線管理テーブル記憶部、１２１・・・入力部、１２２・・・表示部、１２３・・・通信部、１２４・・・工事情報登録部、１２５・・・切断回線抽出部、１２６・・・同一回線有無抽出部、１２７・・・同一回線工事日設定部、１２８・・・借用部、２−１〜Ｎ・・・端末、２１・・・機能部、２１１・・・通信部、２１２・・・入力部、２１３・・・表示部、３・・・ＤＣＮ
【図１】
2017184001.tif 000003
【図２】
2017184001.tif 000004
【図３】
2017184001.tif 000005
【図４】
2017184001.tif 000006
【図５】
2017184001.tif 000007
【図６】
2017184001.tif 000008
【図７】
2017184001.tif 000009
【図８】
2017184001.tif 000010
【図９】
2017184001.tif 000011